(57)【特許請求の範囲】
【請求項１】
互いに向き合う刃部を有する一対の刃物体であって、それぞれが先端及び基端を有する一対の刃物体と、それぞれが先端及び基端を有する一対の挟持体であって、一対の刃物体に対応して配置される一対の挟持体と、間接活線工具が具備する開閉可能な一対の把持部にそれぞれが連結可能な一対の連結体とを備え、一対の刃物体は、相手側の刃物体と対向する縁部に形成された刃部を有し、一対の挟持体は、弾性変形可能であり且つ先端と基端とが並ぶ方向において凹凸が並ぶ波形の板ばねで構成される挟持部分を有し、各挟持体の挟持部分は、刃部に隣り合う位置において、先端が刃物体の先端に連結され且つ基端が刃物体の基端に連結された状態で対向配置され、一方の刃物体及び一方の挟持体は一方の連結体に連結され、他方の刃物体及び他方の挟持体は他方の連結体に連結されることを特徴とする間接活線工具の先端工具。
【請求項２】
前記一対の連結体は、前記一対の刃物体の先端及び前記一対の挟持体の先端に連結されることを特徴とする請求項１に記載の間接活線工具の先端工具。
【請求項３】
前記一対の刃物体の基端同士が枢結されるとともに、一対の挟持体の基端同士が枢結されることを特徴とする請求項１又は２に記載の間接活線工具の先端工具。
【請求項４】
前記一対の挟持体は、互いの凹凸が対向するように配置されることを特徴とする請求項１乃至３のいずれか１項に記載の間接活線工具の先端工具。
【発明の詳細な説明】
【技術分野】
【０００１】
本発明は、例えば、配電線工事において、送電線や引き込み線等のケーブルを遠隔から切断する際に、間接活線工具の一対の把持部の先端に取り付けて使用する間接活線工具の先端工具に関する。
【背景技術】
【０００２】
一般的に配電線工事においてケーブルを間接活線工具で切断するための先端工具が提供されている。該先端工具は、例えば、交差する部位が回転可能に連結された一対のアームを備えたものが提供されている。一対のアームの先端側に、切断対象物を切断する一対の刃部を備え、一対のアームの基端に、間接活線工具が具備する開閉可能な一対の把持部の先端に対して着脱可能な一対の連結部を備える（特許文献１参照）。
【０００３】
かかる構成の先端工具によれば、間接活線工具の一対の把持部を閉操作することにより、一対の刃部が互いに接近し、ケーブルの両側から切り込んでいき、ケーブルを切断する。
【先行技術文献】
【特許文献】
【０００４】
【特許文献１】特開２００３−２２４９１０号公報
【発明の概要】
【発明が解決しようとする課題】
【０００５】
ところで、前記先端工具は、ケーブルの切断箇所に一対の刃物体が互いに内側に向かって切り込んでいくときに、ケーブルの切断箇所が一対の刃物体の先端側に移動してしまい、ケーブルを切断しにくい場合がある、という問題がある。
【０００６】
そこで、本発明は、上記問題に鑑み、間接活線工具を用いた切断作業において、切断対象物を一対の刃部から逃がすことなく、確実に挟持した状態で切断できる間接活線工具の先端工具を提供することを目的とする。
【課題を解決するための手段】
【０００７】
本発明に係る間接活線工具の先端工具は、互いに向き合う刃部を有する一対の刃物体であって、それぞれが先端及び基端を有する一対の刃物体と、それぞれが先端及び基端を有する一対の挟持体であって、一対の刃物体に対応して配置される一対の挟持体と、間接活線工具が具備する開閉可能な一対の把持部にそれぞれが連結可能な一対の連結体とを備え、一対の刃物体は、相手側の刃物体と対向する縁部に形成された刃部を有し、一対の挟持体は、弾性変形可能であり且つ先端と基端とが並ぶ方向において凹凸が並ぶ波形の板ばねで構成される挟持部分を有し、各挟持体の挟持部分は、刃部に隣り合う位置において、先端が刃物体の先端に連結され且つ基端が刃物体の基端に連結された状態で対向配置され、一方の刃物体及び一方の挟持体は一方の連結体に連結され、他方の刃物体及び他方の挟持体は他方の連結体に連結されることを特徴とする。
【０００８】
かかる構成によれば、間接活線工具の一対の把持部の閉方向への移動に伴って、一対の挟持体が互いに内側に向かって移動する。間接活線工具の一対の把持部の閉方向へのさらなる移動によって、切断対象物が一対の挟持体によって挟持される。具体的には、切断対象物を両側から挟持した一対の挟持体が切断対象物に圧接するとともに、弾性変形して密着する。これに伴って、切断対象物に対し一対の挟持体を介して間接活線工具の一対の把持部からの挟持力が伝達され、切断対象物を確実に把持できる。
【０００９】
また、一対の刃物体が間接活線工具の一対の把持部の接近に伴って、一対の刃物体が互いに内側に向かって移動する。間接活線工具の一対の把持部がさらに接近することによって、切断対象物が一対の刃物体によって切断される。具体的には、一対の刃物体の刃部が切断対象物の両側から中心に向かって切り込んでいく。このとき、一対の挟持体によって切断対象物が挟持されているため、切断対象物に一対の刃物体を介して間接活線工具の一対の把持部から力が作用しても、切断対象物が一対の刃物体の先端側に逃げることがない。したがって、切断対象物が一対の刃物体によって確実に切断される。
さらに、一対の板ばねが弾性変形することによって、切断対象物が挟持される。具体的には、切断対象物を両側から挟持した一対の板ばねの挟持部分が切断対象物に圧接するとともに、弾性変形して密着する。これにより、切断対象物を確実に挟持できる。
【００１０】
本発明に係る間接活線工具の先端工具の一態様として、前記一対の連結体は、前記一対の刃物体の先端及び前記一対の挟持体の先端に連結されることが好ましい。
【００１１】
かかる構成によれば、一対の刃物体の先端及び一対の挟持体の先端は、一対の連結体によって間接活線工具の一対の把持部の先端に固定される。これにより、一対の把持部の間に、一対の刃物体及び一対の挟持体が配置される。したがって、間接活線工具の一対の把持部の先端からの先端工具の突出量を小さくすることができる。これにより、切断対象物の周辺の機器への接触を回避することができる。また、切断対象物を間接活線工具の一対の把持部の内側に収めることができるため、切断対象物に対して間接活線工具の一対の把持部からの押圧力を伝達しやすくなり、切断対象物を容易に切断することができる。
【００１２】
本発明に係る間接活線工具の先端工具の他態様として、前記一対の刃物体の基端同士が枢結されるとともに、一対の挟持体の基端同士が枢結されることが好ましい。
【００１３】
かかる構成によれば、間接活線工具の一対の把持部を開閉操作することに伴って、一対の刃物体及び一対の挟持体がそれぞれ開閉するようになる。
【００１６】
本発明に係る間接活線工具の先端工具の他態様として、前記一対の挟持体は、波形状に形成され、互いの凹凸が向き合っていることが好ましい。
【００１７】
かかる構成によれば、一対の挟持体の対向する一対の凹部によって切断対象物が挟持される。具体的には、一対の凹部間に切断対象物が嵌り込み、一対の凹部の内面が切断対象物の外面に圧接する。したがって、間接活線工具の一対の把持部を閉方向に操作すると、切断対象物に対し一対の挟持体を介して間接活線工具の一対の把持部からの力が伝達され、切断対象物を確実に把持できる。
【発明の効果】
【００１８】
以上のように、本発明によれば、間接活線工具を用いた切断作業において、切断対象物を一対の刃部から逃がすことなく、確実に挟持した状態で切断することができる。
【図面の簡単な説明】
【００１９】
【図１】図１は、本発明の一実施形態に係る間接活線工具の先端工具を示す図である。
【図２】図２は、図１の側面図である。
【図３】図３は、間接活線工具の先端工具を間接活線工具の一対の把持部に取り付けた状態を示す図である。
【図４】図４は、同実施形態に係る間接活線工具の先端工具の一対の刃物体及び一対の挟持体を開いて、一対の刃物体の間及び一対の挟持体の間に切断対象物を挿入した状態を示す図である。
【図５】図５は、同実施形態に係る間接活線工具の先端工具の一対の刃物体及び一対の挟持体を閉じて、切断対象物を挟持するとともに、切断した状態を示す図である。
【図６】図６は、図５の側面図である。
【発明を実施するための形態】
【００２０】
本発明の一実施形態に係る間接活線工具の先端工具について図面を参照しながら説明する。なお、本実施形態では、切断対象物として、送電線や引き込み線等のケーブル（電線）を切断する場合を例にとって説明する。
【００２１】
本実施形態の説明するに先立って、間接活線工具（所謂絶縁ヤットコ）５の構成について図３を参照して説明する。該間接活線工具５は、作業者が支持するための支持棒５０と、該支持棒５０の先端に設けられた一対の把持部５１，５１と、該一対の把持部５１，５１を操作するためのレバー５３を有する操作部５２と、この操作部５２の動作を一対の把持部５１，５１に伝達する伝達棒５４であって、支持棒５０よりも小径の伝達棒５４とを有する。
【００２２】
図１〜図３に示す如く、本実施形態に係る間接活線工具の先端工具１は、互いに向き合う刃部２０，２０を有する一対の刃物体２，２であって、それぞれが先端及び基端を有する一対の刃物体２，２と、それぞれが先端及び基端を有する弾性変形可能な一対の挟持体３，３であって、一対の刃物体２，２に対応して配置される一対の挟持体３，３と、後述する間接活線工具５が具備する開閉可能な一対の把持部５１，５１にそれぞれが連結可能な一対の連結体４，４とを備える。
【００２３】
本実施形態において、一対の刃物体２，２は、間接活線工具５の一対の把持部５１，５１の一側に配置され、一対の挟持体３，３は、間接活線工具５の一対の把持部５１、５１の他側に配置される。したがって、一対の刃物体２，２、及び一対の挟持体３，３は、間接活線工具５の一対の把持部５１，５１の厚さ分の間隔をおいて配置される。
【００２４】
刃物体２は、相手側の刃物体２と対向する縁部に形成された刃部２０と、相手側の刃物体２に向かって突出して形成された凸部２１であって、切断対象物Ｃの刃物体２の先端側への逃げを防止する凸部２１とを有する。
【００２５】
挟持体３は、波形状に形成された挟持部分３０であって、互いの凹凸が対向するように配置される挟持部分３０と、挟持部分３０の両端部に形成された一対の支持部３１，３１であって、切断対象物Ｃを一対の刃物体２，２の刃部２０，２０間に位置させるための一対の支持部３１，３１とを有する。
【００２６】
連結体４は、間接活線工具５の把持部５１の先端を挿入可能な開口を有するキャップ状の取付部４０と、該取付部４０の開口から挿入される間接活線工具５の把持部５１とを固定する固定部４１とを有する。
【００２７】
具体的には、取付部４０の開口は、取付部４０の複数の側壁部４０ａ，…によって画定される。また、取付部４０の奥側には、一対の刃物体２，２の先端及び一対の挟持体３，３の先端を貫通する一対の第二の連結軸Ｊ２が貫通するスペースが形成される。
【００２８】
固定部４１は、間接活線工具５の把持部５１の挿入方向に対して直交方向に進退可能に設けられる。具体的には、対向する側壁部４０ａとは反対側の側壁部４０ａを外側から内側に向かって進出し、間接活線工具５の把持部５１に圧接する。
【００２９】
一対の刃物体２，２の基端同士及び一対の挟持体３，３の基端同士が第一の連結軸Ｊ１によって回転可能に枢結され、一対の刃物体２，２の先端、及び一対の挟持体３，３の先端は、一対の第二の連結軸Ｊ２，Ｊ２によって回転可能に枢結される。
【００３０】
具体的に説明すると、一対の刃物体２，２の基端同士及び一対の挟持体３，３の基端同士は、間接活線工具５の一対の把持部５１，５１の基端と先端との間において、一対の刃物体２，２の基端同士及び一対の挟持体３，３の基端同士が同心で、一本の第一の連結軸Ｊ１によって回転可能に枢結される。
【００３１】
また、一方の刃物体２の先端及び一方の挟持体３の先端は、一方の刃物体２の先端、一方の連結体４の取付部４０、一方の挟持体３の先端を貫通した一方の第二の連結軸Ｊ２によって回転可能に枢結される。
【００３２】
また、他方の刃物体２の先端及び他方の挟持体３の先端は、他方の刃物体２の先端、他方の連結体４の取付部４０，他方の挟持体３の先端を貫通した他方の第二の連結軸Ｊ２によって回転可能に枢結される。
【００３３】
これにより、一対の刃物体２，２及び一対の挟持体３，３は、間接活線工具５の一対の把持部５１，５１の間に配置されるとともに、一対の刃物体２，２の基端及び一対の挟持体３，３の基端を回転支点にして開閉可能に構成される。また、一対の刃物体２，２及び一対の挟持体３，３は、常態において、先端に向かうにしたがって大きく開口し、Ｖ字形状を呈している。
【００３４】
第一の連結軸Ｊ１及び第二の連結軸Ｊ２は、両端部にナットを螺合させるねじ溝を有する。そして、ねじ溝にナットＮを螺合させることで、一対の刃物体２，２及び一対の挟持体３，３は第一の連結軸Ｊ１及び第二の連結軸Ｊ２によって一体化させられる。
【００３５】
つぎに本実施形態に係る間接活線工具の先端工具の使用態様について図３〜図５を参照して説明する。
【００３６】
まず、作業者は、間接活線工具５の一対の把持部５１，５１を開いた状態にして、該一対の把持部５１，５１に先端工具１を取り付ける。
【００３７】
具体的に説明すると、作業者は、一方の連結体４の取付部４０の開口に、間接活線工具５の一方の把持部５１の先端を挿入し、固定部４１によって、間接活線工具５の一方の把持部５１に一方の連結体４を取り付ける。これと同様に、他方の連結体４の取付部４０の開口に、間接活線工具５の他方の把持部５１の先端を挿入し、固定部４１によって、間接活線工具５の他方の把持部５１に他方の連結体４を取り付ける。
【００３８】
これにより、間接活線工具５の一対の把持部５１，５１の一側に、先端工具１の一対の刃物体２，２が配置され、他側に一対の挟持体３，３が配置される。したがって、先端工具１の一対の刃物体２，２及び一対の挟持体３，３は、間接活線工具５の一対の把持部５１，５１の開閉に連動して開閉するようになる。
【００３９】
また、間接活線工具５の一対の把持部５１，５１の先端に、先端工具１の一対の刃物体２，２の先端及び一対の挟持体３，３の先端が固定されるため、間接活線工具５の一対の把持部５１，５１の先端からの先端工具１の突出量を小さくすることができる。これにより、切断対象物Ｃの周辺の機器（充電部）への接触を回避することができる。
【００４０】
そして、切断対象物Ｃを切断する場合、一対の刃物体２，２及び一対の挟持体３，３を開いた状態にして、切断対象物Ｃの近傍に先端工具１をアプローチする。
【００４１】
つぎに、作業者は、開いた状態の一対の挟持体３，３間、及び一対の刃物体２，２間から切断対象物Ｃを挿入させ、開いた状態の一対の挟持体３，３の内側及び一対の刃物体２，２の内側に、切断対象物Ｃの切断する部分を配置する。
【００４２】
この状態で、作業者は、一対の把持部５１，５１を閉方向に間接活線工具５のレバー５３を操作することにより、一対の挟持体３，３によって切断対象物Ｃを把持するとともに、一対の刃物体２，２によって切断対象物Ｃを切断することができる。すなわち、切断対象物Ｃに対する把持作業と切断作業が一人の作業者によって同時に行うことができる。
【００４３】
具体的には、離間した状態の一対の挟持体３，３が互いに接近し、切断対象物Ｃの外面に一対の波形状の挟持部分３０，３０の凹部に切断対象物Ｃが嵌り込み、一対の挟持部分３０，３０の凹部の内面が切断対象物Ｃの外面に圧接する。これに伴って、切断対象物Ｃに対し一対の挟持体３，３を介して、間接活線工具５の一対の把持部５１，５１からの挟持力が伝達され、切断対象物Ｃが確実に把持される。
【００４４】
これと同時に、一対の刃物体２，２が互いに接近し、一対の刃物体２，２の刃部２０，２０が切断対象物Ｃの内部に切り込んでいき、一対の刃物体２，２の刃部２０，２０が重なったとき、切断対象物Ｃが一対の刃物体２，２によって切断される。
【００４５】
このように、本実施形態に係る間接活線工具の先端工具によれば、間接活線工具５を用いた切断作業において、切断対象物Ｃを一対の刃部２０，２０から逃がすことなく、確実に挟持した状態で切断することができる。
【００４６】
なお、本発明は、前記実施形態に限定されるものではなく、本発明の要旨を逸脱しない範囲で種々変更を加え得ることは勿論のことである。
【００４７】
例えば、前記実施形態の場合、一対の刃物体２，２の基端及び一対の挟持体３，３の基端は、間接活線工具５の一対の把持部５１，５１の基端と先端との間で連結するようにしたが、間接活線工具５の一対の把持部５１，５１の基端部（回転支点）に連結するようにしてもよい。要は、間接活線工具５の一対の把持部５１，５１の開閉に伴って、一対の刃物体２，２及び一対の挟持体３，３が開閉できればよい。
【００４８】
また、前記実施形態の場合、間接活線工具５の一対の把持部５１，５１の一側に、先端工具１の一対の挟持体３，３を配置するとともに、間接活線工具５の一対の把持部５１，５１の他側に、先端工具１の一対の刃物体２，２を配置するようにしたが、間接活線工具５の一対の把持部５１，５１のいずれか一側に、一対の刃物体２，２及び一対の挟持体３，３を配置するようにしてもよい。
【００４９】
また、前記実施形態の場合、間接活線工具５の一対の把持部５１，５１の先端に、一対の刃物体２，２及び一対の挟持体３，３を一対の連結体４，４を介して連結する（間接活線工具５の一対の把持部５１，５１から突出しない）ようにしたが、間接活線工具５の一対の把持部５１，５１に対する、一対の刃物体２，２及び一対の挟持体３，３の連結位置は適宜変更可能であり、間接活線工具５の一対の把持部５１，５１に連結される連結体の位置に対応して連結されてもよい。すなわち、一対の刃物体２，２及び一対の挟持体３，３が、間接活線工具５の一対の把持部５１，５１から突出する場合も含むものとする。
【００５０】
また、前記実施形態の場合、先端工具１の一対の挟持体３，３の挟持部分３０，３０を波形状に形成するようにしたが、該挟持部分３０，３０を板ばねで構成してもよい。
【００５１】
また、前記実施形態の場合、切断対象物Ｃとして、ケーブルを例にとって説明したが、ケーブルに接近又は接触する樹木であってもよい。
【符号の説明】
【００５２】
１…間接活線工具の先端工具、２…刃物体、２０…刃部、３…挟持体、４…連結体、５…間接活線工具（絶縁ヤットコ）、５１…把持部、Ｃ…切断対象物（ケーブル）
【図１】
0006465392.tif 000002
【図２】
0006465392.tif 000003
【図３】
0006465392.tif 000004
【図４】
0006465392.tif 000005
【図５】
0006465392.tif 000006
【図６】
0006465392.tif 000007